(57)【要約】【課題】管理者以外の第三者によるゲートウェイ装置の初期化を抑制することが可能なゲートウェイ装置を提供する。【解決手段】通信部２は、通信端末と電話回線を介して接続処理を行って通信を行う。初期化準備部４は、予め定められた操作に応じて、ゲートウェイ装置１を初期化するための準備状態にするように制御を行う。判定部６は、初期化準備部４によってゲートウェイ装置１が準備状態となっているときに通信部２が通信端末からの着信を受け付けた場合に、通信端末の識別情報が予め登録された第１の識別情報と一致するか否かを判定する。初期化実行部８は、通信端末の識別情報が第１の識別情報と一致する場合に、ゲートウェイ装置１の初期化処理を実行する。【選択図】図１
2019092090.tif 000002
【特許請求の範囲】
【請求項１】
ゲートウェイ装置であって、
通信端末と電話回線を介して接続処理を行って通信を行う通信手段と、
予め定められた操作に応じて、前記ゲートウェイ装置を初期化準備状態にするように制御を行う初期化準備手段と、
前記初期化準備手段によって前記ゲートウェイ装置が初期化準備状態となっているときに前記通信手段が前記通信端末からの着信を受け付けた場合に、前記通信端末の識別情報が予め登録された第１の識別情報と一致するか否かを判定する判定手段と、
前記通信端末の識別情報が前記第１の識別情報と一致する場合に、前記ゲートウェイ装置の初期化処理を実行する初期化実行手段と
を有するゲートウェイ装置。
【請求項２】
前記判定手段は、予め定められたトリガイベントが発生したか否かをさらに判定し、
前記初期化実行手段は、前記通信端末の識別情報が前記第１の識別情報と一致し、前記トリガイベントが発生した場合に、前記ゲートウェイ装置の初期化処理を実行する
請求項１に記載のゲートウェイ装置。
【請求項３】
前記判定手段は、前記通信端末との通信が予め定められた時間継続した場合に、前記トリガイベントが発生したと判定する
請求項２に記載のゲートウェイ装置。
【請求項４】
前記判定手段は、前記通信端末に対し予め定められた操作がなされた場合に、前記トリガイベントが発生したと判定する
請求項２に記載のゲートウェイ装置。
【請求項５】
前記判定手段は、前記通信端末に対し予め定められた番号又は記号の入力操作がなされた場合に、前記トリガイベントが発生したと判定する
請求項４に記載のゲートウェイ装置。
【請求項６】
前記通信端末の識別情報が前記第１の識別情報と一致する場合に、前記トリガイベントの発生を促すガイダンスを出力するように制御を行うガイダンス制御手段
をさらに有する請求項２〜５のいずれか１項に記載のゲートウェイ装置。
【請求項７】
前記通信端末は電話機能を有し、
前記識別情報は、通信端末の電話番号である
請求項１〜６のいずれか１項に記載のゲートウェイ装置。
【請求項８】
ゲートウェイ装置と、
前記ゲートウェイ装置と通信可能な通信端末と
を有し、
前記ゲートウェイ装置は、
前記通信端末と電話回線を介して接続処理を行って通信を行う通信手段と、
予め定められた操作に応じて、前記ゲートウェイ装置を初期化準備状態にするように制御を行う初期化準備手段と、
前記初期化準備手段によって前記ゲートウェイ装置が初期化準備状態となっているときに前記通信手段が前記通信端末からの着信を受け付けた場合に、前記通信端末の識別情報が予め登録された第１の識別情報と一致するか否かを判定する判定手段と、
前記通信端末の識別情報が前記第１の識別情報と一致する場合に、前記ゲートウェイ装置の初期化処理を実行する初期化実行手段と
を有する
通信システム。
【請求項９】
通信端末と電話回線を介して接続処理を行って通信を行い、
予め定められた操作に応じて、ゲートウェイ装置を初期化準備状態にするように制御を行い、
前記ゲートウェイ装置が初期化準備状態となっているときに前記通信端末からの着信を受け付けた場合に、前記通信端末の識別情報が予め登録された第１の識別情報と一致するか否かを判定し、
前記通信端末の識別情報が前記第１の識別情報と一致する場合に、前記ゲートウェイ装置の初期化処理を実行する
ゲートウェイ装置の初期化方法。
【請求項１０】
予め定められた操作に応じて、ゲートウェイ装置を初期化準備状態にするように制御を行うステップと、
前記ゲートウェイ装置が初期化準備状態となっているときに通信端末からの着信を受け付けた場合に、前記通信端末の識別情報が予め登録された第１の識別情報と一致するか否かを判定するステップと、
前記通信端末の識別情報が前記第１の識別情報と一致する場合に、前記ゲートウェイ装置の初期化処理を実行するステップと
をコンピュータに実行させるプログラム。
【発明の詳細な説明】
【技術分野】
【０００１】
本発明は、ゲートウェイ装置、通信システム、ゲートウェイ装置の初期化方法及びプログラムに関する。
【背景技術】
【０００２】
通常、ゲートウェイ装置は、設置環境やゲートウェイ装置に接続される周辺機器の使用によって、これらの機器と適切に接続するため、インタフェースなどの設定を行う必要がある。この設定は、ＬＡＮ（Local Area Network）側ネットワークに接続されたＰＣ（Personal Computer）などの制御端末において、設定用ツールを起動させることで行われ得る。一方、装置故障が発生した場合や、装置交換を行う場合など、設定を初期設定値に戻すことが必要な場合が考えられる。このため、ゲートウェイ装置では、設定を初期設定値に戻すための初期化ボタンを備えていることが多い。そして、必要なときに初期化ボタンを押下することで、装置内部の設定値を予め決められた初期設定値に戻すことが可能である。
【０００３】
上記の技術に関連し、特許文献１は、初期化を行う場合に、任意の初期設定値を選択することができるゲートウェイ装置を開示している。特許文献１にかかるゲートウェイ装置では、ユーザがゲートウェイ装置の初期化ボタンを押下することでゲートウェイ装置の初期化を指示すると、そのユーザ操作に応じ、現在のフラグに基づいて、初期設定値を選択する。
【先行技術文献】
【特許文献】
【０００４】
【特許文献１】特開２０１５−２１９６４９号公報
【発明の概要】
【発明が解決しようとする課題】
【０００５】
特許文献１にかかる初期化ボタンは管理者以外の第三者も押すことができる。したがって、特許文献１にかかる技術では、管理者が意図しないところで第三者がゲートウェイ装置を初期化することが可能である。そのため、管理者の意図しないゲートウェイ装置の初期化を抑制する必要がある。
【０００６】
本発明の目的は、このような課題を解決するためになされたものであり、管理者以外の第三者によるゲートウェイ装置の初期化を抑制することが可能なゲートウェイ装置、通信システム、ゲートウェイ装置の初期化方法及びプログラムを提供することにある。
【課題を解決するための手段】
【０００７】
本発明にかかるゲートウェイ装置は、通信端末と電話回線を介して接続処理を行って通信を行う通信手段と、予め定められた操作に応じて、前記ゲートウェイ装置を初期化準備状態にするように制御を行う初期化準備手段と、前記初期化準備手段によって前記ゲートウェイ装置が初期化準備状態となっているときに前記通信手段が前記通信端末からの着信を受け付けた場合に、前記通信端末の識別情報が予め登録された第１の識別情報と一致するか否かを判定する判定手段と、前記通信端末の識別情報が前記第１の識別情報と一致する場合に、前記ゲートウェイ装置の初期化処理を実行する初期化実行手段とを有する。
【０００８】
また、本発明にかかる通信システムは、ゲートウェイ装置と、前記ゲートウェイ装置と通信可能な通信端末とを有し、前記ゲートウェイ装置は、前記通信端末と電話回線を介して接続処理を行って通信を行う通信手段と、予め定められた操作に応じて、前記ゲートウェイ装置を初期化準備状態にするように制御を行う初期化準備手段と、前記初期化準備手段によって前記ゲートウェイ装置が初期化準備状態となっているときに前記通信手段が前記通信端末からの着信を受け付けた場合に、前記通信端末の識別情報が予め登録された第１の識別情報と一致するか否かを判定する判定手段と、前記通信端末の識別情報が前記第１の識別情報と一致する場合に、前記ゲートウェイ装置の初期化処理を実行する初期化実行手段とを有する。
【０００９】
また、本発明にかかるゲートウェイ装置の初期化方法は、通信端末と電話回線を介して接続処理を行って通信を行い、予め定められた操作に応じて、ゲートウェイ装置を初期化準備状態にするように制御を行い、前記ゲートウェイ装置が初期化準備状態となっているときに前記通信端末からの着信を受け付けた場合に、前記通信端末の識別情報が予め登録された第１の識別情報と一致するか否かを判定し、前記通信端末の識別情報が前記第１の識別情報と一致する場合に、前記ゲートウェイ装置の初期化処理を実行する。
【００１０】
また、本発明にかかるプログラムは、予め定められた操作に応じて、ゲートウェイ装置を初期化準備状態にするように制御を行うステップと、前記ゲートウェイ装置が初期化準備状態となっているときに通信端末からの着信を受け付けた場合に、前記通信端末の識別情報が予め登録された第１の識別情報と一致するか否かを判定するステップと、前記通信端末の識別情報が前記第１の識別情報と一致する場合に、前記ゲートウェイ装置の初期化処理を実行するステップとをコンピュータに実行させる。
【発明の効果】
【００１１】
本発明によれば、管理者以外の第三者によるゲートウェイ装置の初期化を抑制することが可能なゲートウェイ装置、通信システム、ゲートウェイ装置の初期化方法及びプログラムを提供できる。
【図面の簡単な説明】
【００１２】
【図１】本発明の実施の形態にかかるゲートウェイ装置の概要を示す図である。
【図２】実施の形態１にかかる通信システムを示す図である。
【図３】実施の形態１にかかるゲートウェイ装置の初期化方法を示すフローチャートである。
【図４】実施の形態２にかかる通信システムを示す図である。
【図５】実施の形態２にかかるゲートウェイ装置の初期化方法を示すフローチャートである。
【発明を実施するための形態】
【００１３】
（本発明にかかる実施の形態の概要）
本発明の実施形態の説明に先立って、本発明にかかる実施の形態の概要について説明する。図１は、本発明の実施の形態にかかるゲートウェイ装置１の概要を示す図である。ゲートウェイ装置１は、通信部２（通信手段）と、初期化準備部４（初期化準備手段）と、判定部６（判定手段）と、初期化実行部８（初期化実行手段）とを有する。
【００１４】
通信部２は、通信端末と電話回線を介して接続処理を行って通信を行う。初期化準備部４は、予め定められた操作に応じて、ゲートウェイ装置１を初期化するための準備状態にするように制御を行う。判定部６は、初期化準備部４によってゲートウェイ装置１が準備状態となっているときに通信部２が通信端末からの着信を受け付けた場合に、通信端末の識別情報が予め登録された第１の識別情報と一致するか否かを判定する。初期化実行部８は、通信端末の識別情報が第１の識別情報と一致する場合に、ゲートウェイ装置１の初期化処理を実行する。
【００１５】
ゲートウェイ装置の初期化ボタンは管理者以外の第三者も押下することができる。したがって、初期化ボタンを押下することのみで初期化を行うようなゲートウェイ装置では、管理者が意図しないときに第三者がゲートウェイ装置を初期化することが可能である。さらに、初期化を行った後に第三者が新たな管理者として装置設定を行うことも可能になってしまう。そのため、管理者の意図しないゲートウェイ装置の初期化を抑制する必要がある。
【００１６】
本実施の形態にかかるゲートウェイ装置１は、特定の識別情報（例えば電話番号）を有する通信端末（例えば管理者の携帯電話）からの着信をトリガとして、ゲートウェイ装置１の初期化を実行するように構成されている。したがって、本実施の形態にかかるゲートウェイ装置１は、管理者以外の第三者によるゲートウェイ装置１の初期化を抑制することが可能となる。なお、ゲートウェイ装置１と通信端末とから構成される通信システムを用いても、管理者以外の第三者によるゲートウェイ装置１の初期化を抑制することが可能となる。また、ゲートウェイ装置１で実行される初期化方法及び初期化方法を実行するプログラムを用いても、管理者以外の第三者によるゲートウェイ装置１の初期化を抑制することが可能となる。
【００１７】
（実施の形態１）
以下、実施形態について、図面を参照しながら説明する。説明の明確化のため、以下の記載及び図面は、適宜、省略、及び簡略化がなされている。また、各図面において、同一の要素には同一の符号が付されており、必要に応じて重複説明は省略されている。
【００１８】
図２は、実施の形態１にかかる通信システム１０を示す図である。実施の形態１にかかる通信システム１０は、管理者携帯電話端末２０と、固定電話４０と、ゲートウェイ装置１００とを有する。管理者携帯電話端末２０は、ゲートウェイ装置１００の管理者の通信端末である。管理者携帯電話端末２０は、電話機能を有する。管理者携帯電話端末２０は、ゲートウェイ装置１００と、電話回線網３０を介して通信可能である。固定電話４０は、ゲートウェイ装置１００と接続されている。
【００１９】
ゲートウェイ装置１００は、図１に示したゲートウェイ装置１に対応する。ゲートウェイ装置１００は、例えばホームゲートウェイ装置として機能する。ゲートウェイ装置１００は、端末番号登録部１０２と、初期化ボタン押下判定部１０４と、通話時間管理部１０６と、初期化判定部１１０とを有する。さらに、ゲートウェイ装置１００は、ガイダンス制御部１１２と、設定管理部１１４と、ＶｏＩＰ制御部１２０と、ルータ部１３０とを有する。なお、ガイダンス制御部１１２、設定管理部１１４、ＶｏＩＰ制御部１２０及びルータ部１３０は、一般的なホームゲートウェイ装置に具備された機能であってもよい。
【００２０】
端末番号登録部１０２は、管理者等のユーザの操作により、管理者携帯電話端末２０の端末番号（電話番号等）を登録する。端末番号登録部１０２は、例えば、Ｗｅｂ＿ＧＵＩ（Graphical User Interface）を用いて、端末番号を登録してもよい。ここで、登録された管理者携帯電話端末２０の端末番号を、管理者端末番号（第１の識別情報）と称する。ゲートウェイ装置１００は、初期セットアップ時に、管理者に管理者端末番号の登録を促す。管理者端末番号は、端末番号登録部１０２によって保存され、管理者を識別するための識別情報として利用される。なお、端末番号登録部１０２は、管理者携帯電話端末２０の電話番号ではなく、管理者携帯電話端末２０を識別可能な任意の識別情報を登録してもよい。
【００２１】
初期化ボタン押下判定部１０４は、図１に示した初期化準備部４に対応する。初期化ボタン押下判定部１０４は、ゲートウェイ装置１００に設けられた初期化ボタン（図示せず）が押下されたか否かを判定する。初期化ボタン押下判定部１０４は、初期化ボタンが押下された場合に、ゲートウェイ装置１００を、初期化準備状態にするように制御する。ここで、初期化準備状態とは、初期化はなされていないが、後に所定のトリガがなされることでゲートウェイ装置１００の初期化が可能となった準備状態である。
【００２２】
ＶｏＩＰ制御部１２０は、図１に示した通信部２に対応する。ＶｏＩＰ制御部１２０は、管理者携帯電話端末２０等の通信端末と電話回線網３０を介して接続処理を行って通信を行う。つまり、ＶｏＩＰ制御部１２０は、管理者携帯電話端末２０等の通信端末から着信を受け付けたときに、通話を行うための制御を行う。
【００２３】
さらに、ＶｏＩＰ制御部１２０は、通信端末から着信を受け付けたときに、通信端末の端末番号を、初期化判定部１１０に出力する。通話時間管理部１０６は、管理者携帯電話端末２０等の通信端末とゲートウェイ装置１００（ＶｏＩＰ制御部１２０）との通話の開始から経過した時間を計測する。
【００２４】
初期化判定部１１０は、図１に示した判定部６に対応する。初期化判定部１１０は、初期化を行うことを許可するか否かを判定する。初期化判定部１１０は、ＶｏＩＰ制御部１２０が通信端末から着信を受け付けたときに、ＶｏＩＰ制御部１２０からその通信端末の端末番号を取得する。初期化判定部１１０は、着信した通信端末の端末番号（着信番号）を、端末番号登録部１０２によって登録されている管理者端末番号と比較する。
【００２５】
初期化判定部１１０は、着信番号が管理者端末番号と一致する場合、初期化ボタンが押下されているか、つまりゲートウェイ装置１００が初期化準備状態となっているか否かを、初期化ボタン押下判定部１０４に問い合わせる。さらに、初期化判定部１１０は、ゲートウェイ装置１００が初期化準備状態となっている場合に、通話時間管理部１０６に対し、通信端末（管理者携帯電話端末２０）との通話時間を問い合わせる。そして、初期化判定部１１０は、通話時間が予め定められた設定時間Ｔ以上となったか否かを判定する。
【００２６】
初期化判定部１１０は、通話開始からの時間が設定時間Ｔを経過した場合に、ゲートウェイ装置１００の初期化処理を許可すると判定する。この場合、初期化判定部１１０は、初期化処理を行うように、設定管理部１１４に指示する。ここで、実施の形態１においては、「通話開始から設定時間Ｔを経過した（通話が設定時間Ｔ継続した）」ことが、初期化のトリガとなるイベント（トリガイベント）となる。設定管理部１１４は、初期化判定部１１０の指示に応じて、ゲートウェイ装置１００の初期化処理を行う。
【００２７】
また、初期化判定部１１０は、予め定められたタイミングで、初期化に関する予め定められたガイダンスをユーザ（管理者）に対して出力するように、ガイダンス制御部１１２に指示する。ガイダンス制御部１１２（ガイダンス制御手段）は、初期化判定部１１０の指示に応じて、ガイダンスを出力するように制御を行う。例えば、ガイダンス制御部１１２は、着信番号が管理者端末番号と一致したときに、「初期化を行うときは通話を継続して下さい」といった、通話を設定時間Ｔ継続するように促すようなガイダンスを出力するように制御を行う。つまり、ガイダンス制御部１１２は、着信番号が管理者端末番号と一致したときに、トリガイベントの発生を促すようなガイダンスを出力するように制御を行う。
【００２８】
ここで、ガイダンス制御部１１２は、ゲートウェイ装置１００に設けられたスピーカ（図示せず）を制御して音声でガイダンスを出力させてもよい。あるいは、ガイダンス制御部１１２は、ゲートウェイ装置１００と接続されたＰＣ（図示せず）を制御してＰＣのモニタにガイダンスを表示させてもよい。あるいは、ガイダンス制御部１１２は、接続中の通信端末（管理者携帯電話端末２０）のユーザインタフェースにガイダンスを出力させるように、制御を行ってもよい。また、ガイダンス制御部１１２は、初期化処理が許可された場合に、「初期化を開始します」といったガイダンスを出力するように制御を行ってもよい。
【００２９】
ＶｏＩＰ制御部１２０は、現在のゲートウェイ装置１００の状態を初期化判定部１１０に問い合わせて、その応答により制御を行ってもよい。例えば、ＶｏＩＰ制御部１２０は、着信した通信端末の端末番号が管理者端末番号と一致しなかった場合に、通信端末を固定電話４０に接続するように制御を行ってもよい。これにより、通常のゲートウェイ装置の処理のように、管理者携帯電話端末２０でない通信端末と固定電話４０とを接続することが可能となる。また、ＶｏＩＰ制御部１２０は、ガイダンス制御部１１２を制御してもよい。
【００３０】
ルータ部１３０は、電話回線網３０とゲートウェイ装置１００に接続された装置（固定電話４０等）とを接続するための処理を行う。また、ルータ部１３０は、ゲートウェイ装置１００に接続された複数の装置に対してルーティングを行う。
【００３１】
図３は、実施の形態１にかかるゲートウェイ装置１００の初期化方法を示すフローチャートである。まず、ゲートウェイ装置１００は、初期状態である初期化ボタン押下待ち状態となる（ステップＳ１０２）。管理者は、ゲートウェイ装置１００の初期化を行う場合、まず、初期化ボタンを押下する。これにより、ゲートウェイ装置１００の状態は、初期化準備状態に遷移する（ステップＳ１０４）。なお、この状態で再度初期化ボタンが押下された場合は、初期化準備状態から初期化ボタン押下待ち状態に戻る（Ｓ１０２）。
【００３２】
次に、管理者は、管理者携帯電話端末２０からゲートウェイ装置１００に対して電話の発信（発呼）を行う。これにより、ゲートウェイ装置１００は、管理者携帯電話端末２０からの電話の着信を受け付ける（ステップＳ１０６）。このとき、ＶｏＩＰ制御部１２０は、初期化判定部１１０に対して着信番号が登録された管理者端末番号と一致するかを問い合わせる。初期化判定部１１０は、着信番号が管理者端末番号と一致するか否かを判定する。初期化判定部１１０が、着信番号が管理者端末番号と一致しない、つまり着信番号が未登録であると判定した場合、初期化判定部１１０は、ゲートウェイ装置１００の状態を初期化ボタン押下待ち状態に戻す（Ｓ１０２）。このとき、ＶｏＩＰ制御部１２０は、着信した通信端末を、固定電話４０に接続する。これにより、管理者携帯電話端末２０以外の通信端末を固定電話４０に接続するといった、通常のゲートウェイ装置１００の処理を行うことができる。
【００３３】
一方、着信番号が管理者端末番号と一致する、つまり着信番号が登録済みである場合、ガイダンス制御部１１２は、予め定められたガイダンスを出力するように制御を行う。そして、初期化判定部１１０は、ゲートウェイ装置１００が初期化準備状態であるときに、管理者の意図した初期化要求がなされているか否かを判定する。
【００３４】
具体的には、管理者の意図しないタイミングで第三者が初期化ボタンを押下したときに、偶然、管理者が管理者携帯電話端末２０を用いてゲートウェイ装置１００に発信するといったケースを想定する。このケースを考慮して、ゲートウェイ装置１００（ガイダンス制御部１１２）は、管理者携帯電話端末２０からの着信を受け付けた場合に、初期化処理を行うために一定時間（設定時間Ｔ）通話を継続するように、ガイダンスで促す。そして、通話時間管理部１０６は、管理者携帯電話端末２０との通話時間を計測する（ステップＳ１０８）。
【００３５】
管理者携帯電話端末２０との通話の開始から設定時間Ｔを経過する前に通話が切断した場合、初期化判定部１１０は、管理者の意図した初期化要求がなされていないと判断する。したがって、初期化判定部１１０は、ゲートウェイ装置１００の状態を初期化ボタン押下待ち状態に戻す（Ｓ１０２）。つまり、管理者は、ゲートウェイ装置１００の初期化を意図していない場合は、管理者携帯電話端末２０の通話を切断すればよい。
【００３６】
一方、管理者携帯電話端末２０との通話の開始から設定時間Ｔが経過した場合、初期化判定部１１０は、管理者の意図した初期化要求がなされていると判断する。したがって、初期化判定部１１０は、設定管理部１１４に対し、ゲートウェイ装置１００の初期化処理を実行させる（ステップＳ１１０）。このとき、初期化判定部１１０は、「初期化を開始します」といったガイダンスを出力させるように、ガイダンス制御部１１２に指示する。また、このとき、ＶｏＩＰ制御部１２０は、管理者携帯電話端末２０との通話を切断する。設定管理部１１４が初期化処理の実行を完了すると、ゲートウェイ装置１００の状態は初期化ボタン押下待ち状態に戻る（Ｓ１０２）。
【００３７】
実施の形態１にかかるゲートウェイ装置１００は、登録された端末番号に対応する管理者携帯電話端末２０からの着信を、ゲートウェイ装置１００の初期化のトリガとしている。したがって、管理者以外の第三者がゲートウェイ装置１００の初期化を行うことが極めて困難となる。したがって、管理者以外の第三者によるゲートウェイ装置１００の初期化を抑制することが可能となる。これにより、ゲートウェイ装置１００のセキュリティの向上を図ることができる。
【００３８】
また、実施の形態１にかかるゲートウェイ装置１００は、さらに、通話時間が設定時間Ｔ以上となったことをトリガイベントとして、初期化を許可するように構成されている。これにより、管理者の意図しないタイミングで第三者が初期化ボタンを押下したときに、偶然、管理者が管理者携帯電話端末２０を用いてゲートウェイ装置１００に発信した場合であっても、ゲートウェイ装置１００の初期化をより確実に抑制することができる。したがって、実施の形態２は、第三者が容易にゲートウェイ装置１００の初期化を行うことができるといった課題を解決できる。
【００３９】
さらに、実施の形態１においては、通話時間（通信時間）が設定時間Ｔ以上となった（通話時間が設定時間Ｔ継続した）ことを、初期化のトリガイベントとしている。これにより、管理者は、単にゲートウェイ装置１００と管理者携帯電話端末２０との通話を継続するのみで、他に何らの操作も必要としないで、ゲートウェイ装置１００の初期化を許可することができる。したがって、管理者は、ゲートウェイ装置１００の初期化を容易に許可することができる。
【００４０】
（実施の形態２）
次に、実施の形態２について説明する。実施の形態１では、通話時間（通信時間）が設定時間Ｔ継続したことをトリガイベントとしている。これに対し、実施の形態２では、管理者携帯電話端末２０の予め定められた番号を入力することをトリガイベントとしている。つまり、実施の形態２にかかるトリガイベントが、実施の形態１にかかるトリガイベントと異なる。
【００４１】
図４は、実施の形態２にかかる通信システム１０を示す図である。実施の形態２にかかる通信システム１０は、管理者携帯電話端末２０と、固定電話４０と、ゲートウェイ装置１００とを有する。ゲートウェイ装置１００は、実施の形態１にかかる通話時間管理部１０６の代わりに、入力判定部２０６を有する。これ以外の構成要素については、実施の形態２にかかるゲートウェイ装置１００は、実施の形態１にかかるゲートウェイ装置１００と実質的に同様である。
【００４２】
入力判定部２０６は、ＶｏＩＰ制御部１２０と接続された管理者携帯電話端末２０等の通信端末に、番号（「０」，「１」等）又は記号（「＃」，「＊」等）（以下「番号等」）の入力がなされたか否かを判定する。さらに、入力判定部２０６は、何らかの番号等が通信端末に入力された場合に、どの番号等が入力されたかを判定する。具体的には、入力判定部２０６は、ＶｏＩＰ制御部１２０によって管理者携帯電話端末２０から受信された、入力された番号等を示す信号の解析によって、入力された番号等を判定してもよい。例えば、入力判定部２０６は、管理者携帯電話端末２０から受信されたＤＴＭＦ（Dual-Tone Multi-Frequency）信号等のトーン信号を解析することで、入力された番号等を判定してもよい。なお、番号等の入力は、ＤＴＭＦキーが管理者携帯電話端末２０に搭載されている場合は、そのＤＴＭＦキーの押下によってなされ得る。また、管理者携帯電話端末２０がタッチパネルを具備している場合は、番号等の入力は、タッチパネルの番号等のアイコンのタッチによってなされ得る。
【００４３】
実施の形態２において、初期化判定部１１０は、ゲートウェイ装置１００が初期化準備状態となっており、着信番号が管理者端末番号と一致する場合に、入力判定部２０６に対し、管理者携帯電話端末２０に入力された番号等を問い合わせる。そして、初期化判定部１１０は、入力された番号等が予め定められた番号等（設定番号；例えば「１」）であるか否かを判定する。初期化判定部１１０は、入力された番号等が設定番号と一致する場合に、ゲートウェイ装置１００の初期化処理を許可すると判定する。つまり、実施の形態２においては、「管理者携帯電話端末２０に対し設定番号の入力操作がなされた」ことが、初期化のトリガとなるイベント（トリガイベント）となる。
【００４４】
また、ガイダンス制御部１１２は、着信番号が管理者端末番号と一致したときに、例えば、「初期化を行うときは番号「１」を押して下さい」といった、設定番号を押下することを促すようなガイダンスを出力するように制御を行う。つまり、実施の形態２においても、ガイダンス制御部１１２は、着信番号が管理者端末番号と一致したときに、トリガイベントの発生を促すようなガイダンスを出力するように制御を行う。
【００４５】
図５は、実施の形態２にかかるゲートウェイ装置１００の初期化方法を示すフローチャートである。まず、ゲートウェイ装置１００は、初期化ボタン押下待ち状態となる（ステップＳ２０２）。管理者が初期化ボタンを押下することにより、ゲートウェイ装置１００の状態は、初期化準備状態に遷移する（ステップＳ２０４）。なお、再度初期化ボタンが押下された場合は、初期化準備状態から初期化ボタン押下待ち状態に戻る（Ｓ２０２）。
【００４６】
次に、管理者携帯電話端末２０からゲートウェイ装置１００に対して発信が行われることで、ゲートウェイ装置１００は、管理者携帯電話端末２０からの電話の着信を受け付ける（ステップＳ２０６）。このとき、初期化判定部１１０は、着信番号が管理者端末番号と一致するか否かを判定する。着信番号が管理者端末番号と一致しない場合、初期化判定部１１０は、ゲートウェイ装置１００の状態を初期化ボタン押下待ち状態に戻す（Ｓ２０２）。
【００４７】
一方、着信番号が管理者端末番号と一致する場合、ガイダンス制御部１１２は、予め定められたガイダンスを出力するように制御を行う。そして、初期化判定部１１０は、ゲートウェイ装置１００が初期化準備状態であるときに、管理者の意図した初期化要求がなされているか否かを判定する。具体的には、ゲートウェイ装置１００（ガイダンス制御部１１２）は、管理者携帯電話端末２０からの着信を受け付けた場合に、初期化処理を行うために設定番号（例えば「１」）を入力する操作を行うように、ガイダンスで促す。このとき、ゲートウェイ装置１００は、番号入力待ち状態となる（ステップＳ２０８）。
【００４８】
管理者によって管理者携帯電話端末２０に設定番号以外の番号等（例えば「０」）が入力された場合、初期化判定部１１０は、管理者の意図した初期化要求がなされていないと判断する。したがって、初期化判定部１１０は、ゲートウェイ装置１００の状態を初期化ボタン押下待ち状態に戻す（Ｓ２０２）。つまり、管理者は、ゲートウェイ装置１００の初期化を意図していない場合は、設定番号以外の番号等の入力操作を行えばよい。また、このとき、ゲートウェイ装置１００は、管理者携帯電話端末２０との通話を切断してもよい。なお、ＶｏＩＰ制御部１２０は、設定番号以外の特定の番号等（例えば「＃」）が管理者携帯電話端末２０に入力された場合に、管理者携帯電話端末２０を固定電話４０に接続してもよい。つまり、管理者は、ゲートウェイ装置１００の初期化を意図していないが固定電話４０との通話を意図している場合は、設定番号以外の特定の番号等の入力操作を行えばよい。
【００４９】
一方、管理者によって管理者携帯電話端末２０に設定番号が入力された場合、初期化判定部１１０は、設定管理部１１４に対し、ゲートウェイ装置１００の初期化処理を実行させる（ステップＳ２１０）。このとき、初期化判定部１１０は、「初期化を開始します」といったガイダンスを出力させるように、ガイダンス制御部１１２に指示する。また、このとき、ＶｏＩＰ制御部１２０は、管理者携帯電話端末２０との通話を切断する。設定管理部１１４が初期化処理の実行を完了すると、ゲートウェイ装置１００の状態は初期化ボタン押下待ち状態に戻る（Ｓ２０２）。
【００５０】
実施の形態２にかかるゲートウェイ装置１００は、実施の形態１と同様に、登録された端末番号に対応する管理者携帯電話端末２０からの着信を、ゲートウェイ装置１００の初期化のトリガとしている。したがって、管理者以外の第三者がゲートウェイ装置１００の初期化を行うことが極めて困難となる。したがって、管理者以外の第三者によるゲートウェイ装置１の初期化を抑制することが可能となる。これにより、ゲートウェイ装置１００のセキュリティの向上を図ることができる。
【００５１】
また、実施の形態２にかかるゲートウェイ装置１００は、さらに、管理者携帯電話端末２０に設定番号の入力操作がなされたことをトリガイベントとして、初期化を許可するように構成されている。これにより、管理者の意図しないタイミングで第三者が初期化ボタンを押下したときに、偶然、管理者が管理者携帯電話端末２０を用いてゲートウェイ装置１００に発信した場合であっても、ゲートウェイ装置１００の初期化をより確実に抑制することができる。したがって、実施の形態２は、第三者が容易にゲートウェイ装置１００の初期化を行うことができるといった課題を解決できる。
【００５２】
さらに、実施の形態２においては、管理者携帯電話端末２０に設定番号の入力操作がなされたことをトリガイベントとしている。この場合、例えば、管理者が直ちにゲートウェイ装置１００の初期化をしたい場合は、即座に設定番号の入力操作を行うことで即座に初期化を許可することができる。これにより、管理者の任意のタイミングで、設定番号の入力操作を行って初期化を許可することができる。つまり、実施の形態２においては、管理者は、実施の形態１のように初期化が許可されるまで設定時間Ｔ待つ必要はなく、通話開始から設定時間Ｔよりも短い時間で初期化を許可できる。さらに、実施の形態２においては、管理者は、通話開始から設定時間Ｔよりも長い時間が経過した後で初期化を否定することもできる。
【００５３】
なお、上述した実施の形態２では、「管理者携帯電話端末２０に対し設定番号の入力操作がなされた」ことをトリガイベントとしているが、トリガイベントは、「設定番号の入力」操作に限られない。「設定番号の入力」以外の任意の操作を、トリガイベントとしてもよい。言い換えると、実施の形態２においては、「管理者携帯電話端末２０に対し予め定められた操作がなされた」ことが、トリガイベントとなる。例えば、管理者携帯電話端末２０がタッチパネルを具備する場合、タッチパネルに対して所定の図形を描くようにドラッグすることを、トリガイベントとしてもよい。しかしながら、「設定番号の入力」は、管理者にとって極めて容易な操作であり、ゲートウェイ装置１００においても、ＤＴＭＦ信号により、その入力操作を認識することは容易である。したがって、「設定番号の入力」操作をトリガイベントとすることで、より確実に初期化処理を行うことが可能となる。
【００５４】
（変形例）
なお、本発明は上記実施の形態に限られたものではなく、趣旨を逸脱しない範囲で適宜変更することが可能である。例えば、上述したフローチャートにおいて、各処理（ステップ）の順序は、適宜、変更可能である。また、複数ある処理（ステップ）のうちの１つ以上は、省略されてもよい。
【００５５】
また、上述した複数の構成要素の１つ以上は、他の構成要素と一体となっていてもよい。例えば、初期化判定部１１０とＶｏＩＰ制御部１２０とは一体となっていてもよい。つまり、初期化判定部１１０の処理の少なくとも１つを、ＶｏＩＰ制御部１２０が行ってもよい。また、上述した１つの構成要素が有する複数の機能を、複数の構成要素がそれぞれ有してもよい。例えば、初期化判定部１１０が行う複数の処理を、互いに異なる複数の構成要素がそれぞれ行ってもよい。
【００５６】
また、上述した実施の形態においては、管理者携帯電話端末２０からの着信をトリガとしてゲートウェイ装置１００の初期化を行っているが、管理者の固定電話からの着信をトリガとしてもよい。この場合、電話回線網３０は無線回線でなくてもよい。なお、管理者携帯電話端末２０は、通常、管理者が携帯しているので、第三者が管理者携帯電話端末２０を操作することは困難である。したがって、固定電話よりも携帯電話の方が、管理者以外の第三者による操作を抑制できるので、管理者携帯電話端末２０からの着信をトリガとした方が望ましい。
【００５７】
また、上述した実施の形態においては、端末番号登録部１０２は、管理者携帯電話端末２０の電話番号を登録するとしたが、このような構成に限られない。端末番号登録部１０２は、管理者携帯電話端末２０の電話番号ではなく、管理者携帯電話端末２０（通信端末）を識別可能な任意の識別情報を登録してもよい。しかしながら、電話番号は、管理者携帯電話端末２０から着信したときに、ゲートウェイ装置１００によって容易に取得され得る。したがって、電話番号を登録することで、容易に管理者携帯電話端末２０の識別を行うことができる。
【００５８】
また、初期化判定部１１０は、着信した通信端末の端末番号が管理者端末番号と一致したときに、初期化を行うと判定してもよい。つまり、図３のＳ１０８及び図４のＳ２０８の処理は行われなくてもよい。言い換えると、初期化判定部１１０は、実施の形態１にかかる通話時間及び実施の形態２にかかる番号等の入力操作を、初期化のトリガに用いる必要はない。しかしながら、上述したように、通話時間又は番号等の入力を初期化のトリガに用いることで、ゲートウェイ装置１００の初期化をより確実に抑制することができる。
【００５９】
また、上述の実施の形態では、本発明をハードウェアの構成として説明したが、本発明は、これに限定されるものではない。本発明は、無線通信装置内の各回路の処理（機能）を、ＣＰＵ（Central Processing Unit）にコンピュータプログラムを実行させることにより実現することも可能である。
【００６０】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００６１】
上記の実施形態の一部又は全部は、以下の付記のようにも記載されうるが、以下には限られない。
（付記１）
ゲートウェイ装置であって、
通信端末と電話回線を介して接続処理を行って通信を行う通信手段と、
予め定められた操作に応じて、前記ゲートウェイ装置を初期化準備状態にするように制御を行う初期化準備手段と、
前記初期化準備手段によって前記ゲートウェイ装置が初期化準備状態となっているときに前記通信手段が前記通信端末からの着信を受け付けた場合に、前記通信端末の識別情報が予め登録された第１の識別情報と一致するか否かを判定する判定手段と、
前記通信端末の識別情報が前記第１の識別情報と一致する場合に、前記ゲートウェイ装置の初期化処理を実行する初期化実行手段と
を有するゲートウェイ装置。
（付記２）
前記判定手段は、予め定められたトリガイベントが発生したか否かをさらに判定し、
前記初期化実行手段は、前記通信端末の識別情報が前記第１の識別情報と一致し、前記トリガイベントが発生した場合に、前記ゲートウェイ装置の初期化処理を実行する
付記１に記載のゲートウェイ装置。
（付記３）
前記判定手段は、前記通信端末との通信が予め定められた時間継続した場合に、前記トリガイベントが発生したと判定する
付記２に記載のゲートウェイ装置。
（付記４）
前記判定手段は、前記通信端末に対し予め定められた操作がなされた場合に、前記トリガイベントが発生したと判定する
付記２に記載のゲートウェイ装置。
（付記５）
前記判定手段は、前記通信端末に対し予め定められた番号又は記号の入力操作がなされた場合に、前記トリガイベントが発生したと判定する
付記４に記載のゲートウェイ装置。
（付記６）
前記通信端末の識別情報が前記第１の識別情報と一致する場合に、前記トリガイベントの発生を促すガイダンスを出力するように制御を行うガイダンス制御手段
をさらに有する付記２〜５のいずれか１項に記載のゲートウェイ装置。
（付記７）
前記通信端末は電話機能を有し、
前記識別情報は、通信端末の電話番号である
付記１〜６のいずれか１項に記載のゲートウェイ装置。
（付記８）
前記通信端末の識別情報が前記第１の識別情報と一致しない場合に、前記通信手段は、前記通信端末を、前記ゲートウェイ装置と接続された固定電話と接続するように制御を行う
付記１〜７のいずれか１項に記載のゲートウェイ装置。
（付記９）
ゲートウェイ装置と、
前記ゲートウェイ装置と通信可能な通信端末と
を有し、
前記ゲートウェイ装置は、
前記通信端末と電話回線を介して接続処理を行って通信を行う通信手段と、
予め定められた操作に応じて、前記ゲートウェイ装置を初期化準備状態にするように制御を行う初期化準備手段と、
前記初期化準備手段によって前記ゲートウェイ装置が初期化準備状態となっているときに前記通信手段が前記通信端末からの着信を受け付けた場合に、前記通信端末の識別情報が予め登録された第１の識別情報と一致するか否かを判定する判定手段と、
前記通信端末の識別情報が前記第１の識別情報と一致する場合に、前記ゲートウェイ装置の初期化処理を実行する初期化実行手段と
を有する
通信システム。
（付記１０）
前記判定手段は、予め定められたトリガイベントが発生したか否かをさらに判定し、
前記初期化実行手段は、前記通信端末の識別情報が前記第１の識別情報と一致し、前記トリガイベントが発生した場合に、前記ゲートウェイ装置の初期化処理を実行する
付記９に記載の通信システム。
（付記１１）
前記判定手段は、前記通信端末との通信が予め定められた時間継続した場合に、前記トリガイベントが発生したと判定する
付記１０に記載の通信システム。
（付記１２）
前記判定手段は、前記通信端末に対し予め定められた操作がなされた場合に、前記トリガイベントが発生したと判定する
付記１０に記載の通信システム。
（付記１３）
前記判定手段は、前記通信端末に対し予め定められた番号又は記号の入力操作がなされた場合に、前記トリガイベントが発生したと判定する
付記１２に記載の通信システム。
（付記１４）
前記通信端末の識別情報が前記第１の識別情報と一致する場合に、前記トリガイベントの発生を促すガイダンスを出力するように制御を行うガイダンス制御手段
をさらに有する付記１０〜１３のいずれか１項に記載の通信システム。
（付記１５）
前記通信端末は電話機能を有し、
前記識別情報は、通信端末の電話番号である
付記９〜１４のいずれか１項に記載の通信システム。
（付記１６）
前記通信端末の識別情報が前記第１の識別情報と一致しない場合に、前記通信手段は、前記通信端末を、前記通信システム。と接続された固定電話と接続するように制御を行う
付記９〜１５のいずれか１項に記載の通信システム。
（付記１７）
通信端末と電話回線を介して接続処理を行って通信を行い、
予め定められた操作に応じて、ゲートウェイ装置を初期化準備状態にするように制御を行い、
前記ゲートウェイ装置が初期化準備状態となっているときに前記通信端末からの着信を受け付けた場合に、前記通信端末の識別情報が予め登録された第１の識別情報と一致するか否かを判定し、
前記通信端末の識別情報が前記第１の識別情報と一致する場合に、前記ゲートウェイ装置の初期化処理を実行する
ゲートウェイ装置の初期化方法。
（付記１８）
予め定められたトリガイベントが発生したか否かをさらに判定し、
前記通信端末の識別情報が前記第１の識別情報と一致し、前記トリガイベントが発生した場合に、前記ゲートウェイ装置の初期化処理を実行する
付記１７に記載のゲートウェイ装置の初期化方法。
（付記１９）
前記通信端末との通信が予め定められた時間継続した場合に、前記トリガイベントが発生したと判定する
付記１８に記載のゲートウェイ装置の初期化方法。
（付記２０）
前記通信端末に対し予め定められた操作がなされた場合に、前記トリガイベントが発生したと判定する
付記１８に記載のゲートウェイ装置の初期化方法。
（付記２１）
前記通信端末に対し予め定められた番号又は記号の入力操作がなされた場合に、前記トリガイベントが発生したと判定する
付記２０に記載のゲートウェイ装置の初期化方法。
（付記２２）
前記通信端末の識別情報が前記第１の識別情報と一致する場合に、前記トリガイベントの発生を促すガイダンスを出力するように制御を行う
付記１８〜２１のいずれか１項に記載のゲートウェイ装置の初期化方法。
（付記２３）
前記通信端末は電話機能を有し、
前記識別情報は、通信端末の電話番号である
付記１７〜２２のいずれか１項に記載のゲートウェイ装置の初期化方法。
（付記２４）
前記通信端末の識別情報が前記第１の識別情報と一致しない場合に、前記通信端末を、前記ゲートウェイ装置と接続された固定電話と接続するように制御を行う
付記１７〜２３のいずれか１項に記載のゲートウェイ装置の初期化方法。
（付記２５）
予め定められた操作に応じて、ゲートウェイ装置を初期化準備状態にするように制御を行うステップと、
前記ゲートウェイ装置が初期化準備状態となっているときに通信端末からの着信を受け付けた場合に、前記通信端末の識別情報が予め登録された第１の識別情報と一致するか否かを判定するステップと、
前記通信端末の識別情報が前記第１の識別情報と一致する場合に、前記ゲートウェイ装置の初期化処理を実行するステップと
をコンピュータに実行させるプログラム。
【符号の説明】
【００６２】
１  ゲートウェイ装置
２  通信部
４  初期化準備部
６  判定部
８  初期化実行部
１０  通信システム
２０  管理者携帯電話端末
３０  電話回線網
４０  固定電話
１００  ゲートウェイ装置
１０２  端末番号登録部
１０４  初期化ボタン押下判定部
１０６  通話時間管理部
１１０  初期化判定部
１１２  ガイダンス制御部
１１４  設定管理部
１２０  制御部
１３０  ルータ部
２０６  入力判定部
【図１】
2019092090.tif 000003
【図２】
2019092090.tif 000004
【図３】
2019092090.tif 000005
【図４】
2019092090.tif 000006
【図５】
2019092090.tif 000007